(57)【要約】【課題】構造がシンプルで、かつ、プレートを確実に安定姿勢で保持するプレート保持具を提供する。【解決手段】表示用のプレートＰを差し込み保持可能なコイルスプリング１と、固定部材Ｗに取付けられると共にコイルスプリング１の基端部を装着可能な保持孔を有する取付用基盤２と、コイルスプリング１の先端部を装着可能な挿入孔を有するキャップ盤３とを、備え、保持孔と挿入孔は、その円形内周面の軸心方向位置の相違する複数箇所に、ラジアル内方向に突出する複数の係止小突起を配設し、かつ、コイルスプリング１の先端部・基端部に於て、相互に弾発的に接し合うスプリング線材相互間に係止小突起が差し込まれて、各スプリング端部に向かうにつれてスプリング線材相互の間隔寸法が次第に増加する間隙部が形成されている。【選択図】図１
0003172837.tif 000002
【実用新案登録請求の範囲】
【請求項１】
表示用のプレート（Ｐ）を差し込み保持可能なコイルスプリング（１）と、固定部材（Ｗ）に取付けられると共に上記コイルスプリング（１）の基端部（１Ｂ）を装着可能な保持孔（４）を有する取付用基盤（２）と、上記コイルスプリング（１）の先端部（１Ａ）を装着可能な挿入孔（８）を有するキャップ盤（３）とを、備え、
上記保持孔（４）と上記挿入孔（８）は、その円形内周面（４Ａ）（８Ａ）の軸心方向位置の相違する複数箇所に、ラジアル内方向に突出する複数の係止小突起（５）（６）を配設し、かつ、上記コイルスプリング（１）の先端部（１Ａ）・基端部（１Ｂ）に於て、相互に弾発的に接し合うスプリング線材相互間に上記係止小突起（５）（６）が差し込まれて、各スプリング端部に向かうにつれてスプリング線材相互の間隔寸法（ｇ）が次第に増加する間隙部（７）が形成されていることを特徴とするプレート保持具。
【請求項２】
上記コイルスプリング（１）は、上記間隙部（７）が上記先端部（１Ａ）・基端部（１Ｂ）のスプリング端部から中心角（θ）が１５０°〜２１０°を成す範囲に形成され、
上記係止小突起（５）（６）は、円形内周面（４Ａ）（８Ａ）の軸心点を中心とする１８０°回転対称位置に配設されている請求項１記載のプレート保持具。
【請求項３】
上記保持孔（４）及び上記挿入孔（８）には、上記コイルスプリング（１）の傾倒防止用の突出部（９）が設けられている請求項１又は２記載のプレート保持具。
【請求項４】
上記取付用基盤（２）は、マグネット（Ｍ）と両面テープ貼着用スペーサー（Ｓ）とを選択可能に装着する取付孔（２０）を裏面側に有している請求項１，２又は３記載のプレート保持具。
【考案の詳細な説明】
【技術分野】
【０００１】
本考案は、プレート保持具に関する。
【背景技術】
【０００２】
従来、パチンコやパチスロ等の遊戯機の上方に、その機種の説明や広告・案内等の情報が表示されたプレートを差し込むことができるプレート保持具が取付けられている（特許文献１参照）。
【先行技術文献】
【特許文献】
【０００３】
【特許文献１】特開２００８−１８３０８４号公報
【考案の概要】
【考案が解決しようとする課題】
【０００４】
しかし、特許文献１記載のプレート保持具は、プラスチックの弾性力によりプレートを挟持していたため、保持力が弱く、姿勢を確実に保持することができなかった。よって、プレートが倒れたり、落下してしまう虞れがあった。また、２枚の板状部によりプレートを挟み込んで支持するため、プレートに表示された情報が板状部に重なって隠れてしまうという欠点があった。
【０００５】
そこで、本考案は、構造がシンプルで、かつ、プレートを確実に安定姿勢で保持するプレート保持具を提供することを目的とする。
【課題を解決するための手段】
【０００６】
本考案に係るプレート保持具は、表示用のプレートを差し込み保持可能なコイルスプリングと、固定部材に取付けられると共に上記コイルスプリングの基端部を装着可能な保持孔を有する取付用基盤と、上記コイルスプリングの先端部を装着可能な挿入孔を有するキャップ盤とを、備え、上記保持孔と上記挿入孔は、その円形内周面の軸心方向位置の相違する複数箇所に、ラジアル内方向に突出する複数の係止小突起を配設し、かつ、上記コイルスプリングの先端部・基端部に於て、相互に弾発的に接し合うスプリング線材相互間に上記係止小突起が差し込まれて、各スプリング端部に向かうにつれてスプリング線材相互の間隔寸法が次第に増加する間隙部が形成されているものである。
【０００７】
また、上記コイルスプリングは、上記間隙部が上記先端部・基端部のスプリング端部から中心角が１５０°〜２１０°を成す範囲に形成され、上記係止小突起は、円形内周面の軸心点を中心とする１８０°回転対称位置に配設されているものである。
また、上記保持孔及び上記挿入孔には、上記コイルスプリングの傾倒防止用の突出部が設けられているものである。
また、上記取付用基盤は、マグネットと両面テープ貼着用スペーサーとを選択可能に装着する取付孔を裏面側に有している。
【考案の効果】
【０００８】
本考案のプレート保持具によれば、構造が簡単で、部品の組立てが容易である。さらに、プレートをガタつかせずに確実に安定姿勢で保持できる。プレートの差し替えが非常に容易に行え、しかも、上下左右方向のどこからでも差し入れることができる。デザインが非常にシンプルであるため、プレートに表示された情報が隠されることなく、機種の説明や広告・案内等が見易く、遊戯機の上方、及び、その他の設置箇所にスッキリと表示できる。
【図面の簡単な説明】
【０００９】
【図１】本考案の実施の一形態を示した斜視図である。
【図２】プレート保持具の一使用例を示した要部拡大断面側面図である。
【図３】プレート保持具を示した要部拡大断面平面図である。
【図４】自由状態のコイルスプリングを示した平面図である。
【図５】プレート保持具の他の使用例を示した要部拡大断面側面図である。
【考案を実施するための形態】
【００１０】
以下、実施の形態を示す図面に基づき本考案を詳説する。
図１と図２に示すように、本考案のプレート保持具は、表示用のプレートＰを差し込み保持可能なコイルスプリング１と、固定部材Ｗに取付けられると共にコイルスプリング１の基端部１Ｂを装着可能な保持孔４を有する取付用基盤２と、コイルスプリング１の先端部１Ａを装着可能な挿入孔８を有するキャップ盤３とを、備えている。保持孔４と挿入孔８は、その円形内周面４Ａ，８Ａの軸心方向位置の相違する複数箇所に、ラジアル内方向に突出する複数の係止小突起５，６を配設している。そして、コイルスプリング１の先端部１Ａ・基端部１Ｂに於て、相互に弾発的に接し合うスプリング線材相互間に係止小突起５，６が差し込まれて、各スプリング端部に向かうにつれてスプリング線材相互の間隔寸法ｇが次第に増加する間隙部７が形成されている。
【００１１】
コイルスプリング１は、自由状態に於て、相互に弾発的に接し合う金属製スプリング線材から成り、基端部１Ｂを取付用基盤２に装着し、かつ、先端部１Ａをキャップ盤３に装着して一体に連結されている。コイルスプリング１は、軸心が固定部材Ｗに対して垂直状である。なお、自由状態のコイルスプリング１の線材は、図４に示す如く相互に弾発的に圧接しているが、図２と（後述の）図５では、分り易いように線材間に微小間隙をもって描いている。（実際は圧接状態とするのが望ましい）。
取付用基盤２は、矩形状基台２１の表て面側に円環状周壁部２２を立設し、この円環状周壁部２２の内側に保持孔４を形成している。保持孔４の円形内周面４Ａには、２つの係止小突起５，６が、軸心方向位置の相違する２箇所に突設されている。
キャップ盤３は、外周面に複数の滑り止め１３を有する円環状外壁部３０を有し、この円環状外壁部３０の内側に挿入孔８を形成している。挿入孔８の円形内周面８Ａには、２つの係止小突起５，６が、軸心方向位置の相違する２箇所に突設されている。つまり、挿入孔８の円形内周面８Ａは、保持孔４の円形内周面４Ａと、同一形状に形成されており、保持孔４又は挿入孔８には、コイルスプリング１の先端部１Ａ又は基端部１Ｂのどちらからでも装着できるように構成されている。
なお、プレートＰは、パチンコ店に於て、遊戯機の機種の説明や、会員募集の広告・案内等の情報が表示されたり、または、その他の商業店舗に於て、商品の説明や、価格・原産地・品質保証情報等が表示され、多くの用途に用いることが想定される。
【００１２】
図２と図３に示すように、コイルスプリング１は、間隙部７が先端部１Ａ・基端部１Ｂのスプリング端部から中心角θが１５０°〜２１０°を成す範囲に形成されている。係止小突起５，６は、円形内周面４Ａ（円形内周面８Ａ）の軸心点を中心とする１８０°回転対称位置に配設されている。
保持孔４（挿入孔８）は、２つの係止小突起５，６によって、装着されたコイルスプリング１が軸心方向に離脱しないように抜止めしている。２つの係止小突起５，６のうち、保持孔４（挿入孔８）の開口端縁に近い方を第１係止小突起５とし、保持孔４（挿入孔８）の底面に近い方を第２係止小突起６とすると、保持孔４（挿入孔８）の底面に近い第２係止小突起６近傍に、スプリング端部に当接して係止するストッパ１２が設けられている。ストッパ１２は、保持孔４（挿入孔８）の底面から円形内周面４Ａ（円形内周面８Ａ）に連設される突出片状に形成されている。なお、図４に示すように、自由状態下では、コイルスプリング１は、先端部１Ａ・基端部１Ｂのスプリング端部から中心角θがおよそ１８０°を成す範囲にわたって、スプリング線材が相互に離間して、（各スプリング端部に向かうにつれてスプリング線材相互の間隔寸法ｇが次第に増加する）間隙部７を形成しているのが好ましい。
【００１３】
また、保持孔４及び挿入孔８には、コイルスプリング１の傾倒防止用の突出部９が設けられている。
突出部９は、（第１・第２の）２つの係止小突起５，６の円周上中間位置に配設され、使用状態下で、コイルスプリング１のスプリング端面に当接して、コイルスプリング１が保持孔４（挿入孔８）内で傾倒しないように支持し、ガタつきを防止している。
【００１４】
図２と図５に示すように、取付用基盤２は、マグネットＭと両面テープ貼着用スペーサーＳとを選択可能に装着する取付孔２０を裏面側に有している。
図２では、取付用基盤２は、取付孔２０にスペーサーＳを装着して、両面テープ１９を介して固定部材Ｗに取付けられている。一方、図５では、（図２のスペーサーＳに替えて）取付孔２０に取着用金属板１８を一体に有するマグネットＭを装着して、固定部材Ｗに取付けられている。これは、固定部材Ｗが磁性体である場合に限られるが、マグネットＭを装着することにより、本考案のプレート保持具は、配置転換が容易となり、使い勝手が良く非常に実用的である。
【００１５】
上述した本考案のプレート保持具の使用方法（作用）について説明する。
まず、図１〜図３に示すように、コイルスプリング１の基端部１Ｂを、取付用基盤２の保持孔４に挿入し、２つの係止小突起５，６のうち、保持孔４の開口端縁に近い方の第１係止小突起５を、スプリング線材相互間の間隙部７に差し込む。次に、コイルスプリング１を、（図３中の軸心廻り時計回り方向に）回転させつつ保持孔４に装入していき、保持孔４内の他方の第２係止小突起６を、間隙部７に差し込む。さらに、僅かにコイルスプリング１を回転させれば、スプリング端部がストッパ１２に当接して、取付用基盤２に対するコイルスプリング１の装着が完了する。この際、特別な工具や接着材等を使用することなく、コイルスプリング１の装着が可能であり、また、２つの係止小突起５，６が、１８０°回転対称位置にてコイルスプリング１を係止するため、確実に抜止めされる。
【００１６】
次に、コイルスプリング１の先端部１Ａを、キャップ盤３の挿入孔８に差し入れて、２つの係止小突起５，６のうち、保持孔４の開口端縁に近い方の第１係止小突起５を、スプリング線材相互間の間隙部７に差し込む。そして、キャップ盤３を回転させつつ挿入孔８に先端部１Ａを装入していき、挿入孔８の他方の第２係止小突起６を、間隙部７に差し込む。さらに、僅かにキャップ盤３を回転させれば、スプリング端部がストッパ１２に当接して、キャップ盤３に対するコイルスプリング１の装着が完了する。この際、特別な工具や接着材等を使用することなく、コイルスプリング１の装着が可能であり、また、２つの係止小突起５，６が、１８０°回転対称位置にてコイルスプリング１を係止するため、確実に抜止めされる。
【００１７】
図２の両面テープ貼着用スペーサーＳ、または、図５のマグネットＭを用いて、本考案のプレート保持具を、図１に示すように、（パチンコやパチスロ等の）機械部品のケーシング上部やその上方の壁等の固定部材Ｗに取付ける。図例では、コイルスプリング１に対し、上方からプレートＰを差し入れた場合を示しているが、コイルスプリング１には、上下左右方向のどこからでも、情報が表示されたプレートＰを差し入れることができ、また、プレートＰの差し替えが非常に容易に行える。コイルスプリング１は、中空部に軸を有しないため、スプリング線材の内端面に当接するまで、深く差し込むことができ、また、スプリング線材相互間に広告・案内等の情報が隠れる面積が最小限で済むため、プレートＰを見易く掲示する。
【００１８】
なお、本考案は、設計変更可能であって、例えば、図２と図５に示すマグネットＭや両面テープ１９以外の取付手段を用いるも良く、また、スペーサーＳと取付用基盤２の取付孔２０を省略して、取付用基盤２の裏面に直接に両面テープ１９を貼着しても良い。
【００１９】
以上のように、本考案に係るプレート保持具は、表示用のプレートＰを差し込み保持可能なコイルスプリング１と、固定部材Ｗに取付けられると共にコイルスプリング１の基端部１Ｂを装着可能な保持孔４を有する取付用基盤２と、コイルスプリング１の先端部１Ａを装着可能な挿入孔８を有するキャップ盤３とを、備え、保持孔４と挿入孔８は、その円形内周面４Ａ，８Ａの軸心方向位置の相違する複数箇所に、ラジアル内方向に突出する複数の係止小突起５，６を配設し、かつ、コイルスプリング１の先端部１Ａ・基端部１Ｂに於て、相互に弾発的に接し合うスプリング線材相互間に係止小突起５，６が差し込まれて、各スプリング端部に向かうにつれてスプリング線材相互の間隔寸法ｇが次第に増加する間隙部７が形成されているので、構造が簡単で、部品の組立てが容易であって、かつ、プレートＰをガタつかせずに確実に安定姿勢で保持できる。プレートＰの差し替えが非常に容易に行え、しかも、上下左右方向のどこからでも差し入れることができる。デザインが非常にシンプルであるため、プレートＰに表示された情報が隠されることなく、機種の説明や広告・案内等が見易く、遊戯機の上方にスッキリと表示できる。
【００２０】
また、コイルスプリング１は、間隙部７が先端部１Ａ・基端部１Ｂのスプリング端部から中心角θが１５０°〜２１０°を成す範囲に形成され、係止小突起５，６は、円形内周面４Ａ，８Ａの軸心点を中心とする１８０°回転対称位置に配設されているので、保持孔４と挿入孔８に対するコイルスプリング１の装着が非常に容易にでき、かつ、確実に抜止めできる。
【００２１】
また、保持孔４及び挿入孔８には、コイルスプリング１の傾倒防止用の突出部９が設けられているので、コイルスプリング１がガタつかず、確実に安定姿勢で保持できる。
【００２２】
また、取付用基盤２は、マグネットＭと両面テープ貼着用スペーサーＳとを選択可能に装着する取付孔２０を裏面側に有しているので、固定部材Ｗに対応して取付手段を適宜選択することができ、配置転換が容易で、使い勝手が良く非常に実用的である。
【符号の説明】
【００２３】
１  コイルスプリング
１Ａ  先端部
１Ｂ  基端部
２  取付用基盤
３  キャップ盤
４  保持孔
４Ａ  円形内周面
５  係止小突起
６  係止小突起
７  間隙部
８  挿入孔
８Ａ  円形内周面
９  突出部
２０  取付孔
ｇ  間隔寸法
θ  中心角
Ｗ  固定部材
Ｍ  マグネット
Ｓ  両面テープ貼着用スペーサー
Ｐ  プレート
【図１】
0003172837.tif 000003
【図２】
0003172837.tif 000004
【図３】
0003172837.tif 000005
【図４】
0003172837.tif 000006
【図５】
0003172837.tif 000007